(57)【要約】【課題】レンズ鏡筒外径を大きくすることなく、導電性を有する材質でできた固定鏡筒に検出センサーを取り付けたレンズ鏡筒およびそれを用いた光学機器を提供すること。【解決手段】導電性を有する固定鏡筒に設けた検出センサーの挿入部が、検出センサーを実装するフレキシブルプリント基板の半田部を含めた外形より大きく、挿入部の内周面に検出センサーの位置規制部を設け、かつ固定鏡筒にフレキシブルプリント基板の回転規制手段を設けた。【選択図】  図５
2014142436.tif 000002
【特許請求の範囲】
【請求項１】
導電性を有する鏡筒に設けた検出センサーの挿入部が、
前記検出センサーを実装するフレキシブルプリント基板の半田部を含めた外形より大きく、
前記挿入部の内周面に前記検出センサーの位置規制部を設け、
前記鏡筒に前記フレキシブルプリント基板の回転規制手段を設けたことを特徴とするレンズ鏡筒およびそれを用いた光学機器。
【請求項２】
前記回転規制手段は前記鏡筒に設けた凸部であることを特徴とする請求項１に記載のレンズ鏡筒およびそれを用いた光学機器。
【請求項３】
前記回転規制手段は前記鏡筒と前記フレキシブルプリント基板を接着するテープであることを特徴とする請求項１に記載のレンズ鏡筒およびそれを用いた光学機器。
【請求項４】
前記検出センサーはマニュアルリングに設けた回転検出部の回転を検出することを特徴とする請求項１に記載のレンズ鏡筒およびそれを用いた光学機器。
【請求項５】
前記位置規制部は前記検出センサーの挿入部の内周面の各辺の中央にあることを特徴とする請求項１に記載のレンズ鏡筒およびそれを用いた光学機器
【請求項６】
前記検出センサーは前記フレキシブルプリント基板に面実装されていることを特徴とする請求項１に記載のレンズ鏡筒およびそれを用いた光学機器
【発明の詳細な説明】
【技術分野】
【０００１】
本発明は、レンズ鏡筒およびそれを用いた光学機器に関し、特に導電性を有する部材に検出センサーを取り付けたレンズ鏡筒およびそれを用いた光学機器に関するものである。
【背景技術】
【０００２】
従来、レンズ鏡筒には種々の検出センサーが取り付けられており、例えばレンズのマニュアル操作リングは、固定側の部材に回転検出用センサーを取り付け、回転側のマニュアル操作リング部材にくし歯形状をした回転検出部を設けることにより、マニュアル操作リングの回転を検知するものがあった。その際、レンズ鏡筒を大型化することなく回転検出センサーやくし歯を配置する必要があった。
【０００３】
特許文献１では、内周にくし歯形状を有する検出部材をマニュアル操作リングに取り付け、固定側の鏡筒にくし歯形状に対向させるように外周方向に向かって回転検出センサーが取り付けられた構造となっている。
【先行技術文献】
【特許文献】
【０００４】
【特許文献１】特開平１１−１１９０７６号公報
【発明の概要】
【発明が解決しようとする課題】
【０００５】
しかしながら、上述の特許文献１に開示された従来技術では、回転検出センサーを実装したハード基板を固定筒の外周に取り付ける構造の為、ハード基板や回転検出センサーの厚み分小径化ができない。この問題を解決する為に、回転検出センサーを面実装したフレキシブルプリント基板を固定筒の内周側から取り付けて小径化を図る方法があるが、固定筒が導電性を有する材質でできている場合は、回転検出センサーとフレキシブルプリント基板の半田部が固定筒に接触してショートする為に検出に問題が生じてしまう。
【０００６】
そこで、本発明の目的は、レンズ鏡筒外径を大きくすることなく、導電性を有する材質でできた固定筒に検出センサーを取り付けたレンズ鏡筒およびそれを用いた光学機器を提供することである。
【課題を解決するための手段】
【０００７】
上記目的を達成するために、本発明の構成は、導電性を有する鏡筒に設けた検出センサーの挿入部が、前記検出センサーを実装するフレキシブルプリント基板の半田部を含めた外形より大きく、前記挿入部の内周面に前記検出センサーの位置規制部を設け、前記鏡筒に前記フレキシブルプリント基板の回転規制手段を設けたことを特徴とする。
【発明の効果】
【０００８】
本発明によれば、レンズ鏡筒外径を大きくすることなく、導電性を有する部材にレンズの検出センサーを取り付けることを可能にしたレンズ鏡筒およびそれを用いた光学機器を提供することができる。
【図面の簡単な説明】
【０００９】
【図１】本発明の実施例１によるレンズ鏡筒の断面図である。
【図２】本発明の実施例１によるマニュアルフォーカスリングの回転検出部の要部断面図である。
【図３】本発明の実施例１による検出センサーの固定筒への取り付け部を示す斜視図である。
【図４】本発明の実施例１による検出センサーの固定筒への取り付け部を示す斜視図である。
【図５】本発明の実施例１による検出センサーの固定筒への取り付け部を示す拡大図である。
【図６】本発明の実施例２による検出センサーの固定筒への取り付け部を示す拡大図である。
【図７】本発明の実施例２による検出センサーの固定筒への取り付け部を示す斜視図である。
【発明を実施するための形態】
【００１０】
以下に、本発明の好ましい実施の形態を、添付の図面に基づいて詳細に説明する。図１は、本発明の実施形態にかかわるレンズ鏡筒の断面図である。
【実施例１】
【００１１】
以下、図１〜５を参照して、本発明の第１の実施例によるレンズ鏡筒について説明する。
【００１２】
図１において、１は回転させることによりフォーカシングを行うマニュアルフォーカスリングを示す。２は固定筒を示し、３は前筒を示し、両筒２、３でマニュアルフォーカスリング１を挟み込んで周方向に回動可能に支持する。４は検出センサーを示し、マニュアルフォーカスリング１の回転を検出する。５はフォーカスレンズ群を示し、検出センサー４で検出されたマニュアルフォーカスリング１の回転情報に基づいて、図示しない制御部で計算された必要移動量だけ、図示しないフォーカス駆動モーターで駆動されることにより焦点調整を行うことができる。ここで、固定筒２は導電性を有する材質でできており、好ましい材質としてカーボン繊維が添加されたポリカーボネート等のエンジニアリングプラスチックを用いることにより、静電気耐性や強度、剛性を向上させている。なお、材質はプラスチックに限らず金属であってもよい。
【００１３】
図２は、マニュアルフォーカスリング１の回転検出部の要部断面図である。１ａはマニュアルフォーカスリング１に設けられたくし歯形状をした回転検出部であり、内周方向にくし歯が突出している。２個の検出センサー４はくし歯１ａのピッチに対して１／４位相ずれた位相で固定筒２に固定される。
【００１４】
図３、図４は、検出センサー４の固定筒２への取り付け部を示す斜視図である。２ａは固定筒２に設けられたセンサー挿入部であり、検出センサー４は内周側からセンサー挿入部２ａに挿入されて固定される。６はフレキシブルプリント基板であり、検出センサー４が面実装され、レンズマイコン等が配置された図示しないプリント基板に接続される。２ｂは固定筒２の内周面に設けられた、フレキシブルプリント基板６の回転規制を行う凸部であり、フレキシブルプリント基板６の取り付け面よりも高くなっている。これによりフレキシブルプリント基板６に実装された検出センサー４がセンサー挿入部２ａの中で回転しないようになっている。
【００１５】
図５は、検出センサー４の固定筒２への取り付け部を示す拡大図である。４ａは検出センサー４とフレキシブルプリント基板６を面実装した半田部であり、センサー挿入部２ａは半田部４ａを含めた検出センサー４の外形よりも大きくなっている。このことにより、半田部４ａが固定筒２と接触して検出センサー４がショートすることを防いでいる。２ｃは検出センサー４の位置規制部であり、センサー挿入部２ａの４辺の略中央に設けられ、検出センサー４の位置を規制している。これにより、検出センサー４は固定筒２に対して位置ずれ、回転をすることなく固定することができる。なお本実施例においては、フレキシブルプリント基板６の回転規制を行うのに凸部２ｂを利用したが、凸部を設けずに接着テープでフレキシブルプリント基板６を固定筒２に固定してもよい。
【実施例２】
【００１６】
以下、図６〜７を参照して、本発明の第２の実施例によるレンズ鏡筒について説明する。
【００１７】
第１の実施例と同一部分には同一符号を付し、相違する点のみを説明する。図６は、検出センサー４の固定筒２への取り付け部を示す拡大図である。検出センサー４の位置規制部２ｃはセンサー挿入部２ａの隣り合う２辺のみに設置され、また各辺上に各々複数個配置されている。これにより、検出センサー４はセンサー挿入部２ａ及び位置規制部２ｃにより、その位置及び回転が規制される。図７は、検出センサー４の固定筒２への取り付け部を固定筒２の内周側から見た斜視図である。フレキシブルプリント基板６は図示していない。２ｄは検出センサー４の半田逃げ部であり、センサー挿入部２ａの内周側を深さＬだけ部分的に拡大したもので、半田部４ａを含めた検出センサー４の外形よりも大きくなっている。このことにより、半田部４ａが固定筒２と接触して検出センサー４がショートすることを防いでいる。
【００１８】
以上により、レンズ鏡筒外径を大きくすることなく、導電性を有する部材にレンズの検出センサーを取り付けることを可能にしたレンズ鏡筒およびそれを用いた光学機器を提供することができる。
【００１９】
以上、本発明の好ましい実施形態について説明したが、本発明はこれらの実施形態に限定されず、その要旨の範囲内で種々の変形及び変更が可能である。
【符号の説明】
【００２０】
１：マニュアルフォーカスリング
１ａ：回転検出部
２：固定筒
２ａ：センサー挿入部
２ｂ：回転規制部
２ｃ：位置規制部
２ｄ：半田逃げ部
３：前筒
４：検出センサー
４ａ：半田部
５：フォーカスレンズ群
６：フレキシブルプリント基板
【図１】
2014142436.tif 000003
【図２】
2014142436.tif 000004
【図３】
2014142436.tif 000005
【図４】
2014142436.tif 000006
【図５】
2014142436.tif 000007
【図６】
2014142436.tif 000008
【図７】
2014142436.tif 000009